【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  放送信号を受信する放送受信装置であって、
発行された選局要求を受け付ける選局要求受付部と、
前記選局要求受付部が受け付けた選局要求を格納する選局要求格納部と、
選局要求に応じて前記放送信号の選局処理を行い、選局処理中に選局要求が発行された場合、前記選局要求格納部に格納されている選局要求の内１つの選局要求に応じて次の選局処理を行う選局処理部と、
前記選局要求格納部において選局処理中に格納された選局要求を所定のタイミングで消去する選局要求消去部とを備える、放送受信装置。
【請求項２】  前記選局要求消去部は、選局処理の開始時に、前記選局要求格納部に格納されている選局要求を消去する、請求項１に記載の放送受信装置。
【請求項３】  前記選局要求格納部は、所定数の選局要求を格納し、選局処理中に新たな選局要求が発行された結果、格納されるべき選局要求が選局処理中に当該所定数を越える場合、すでに格納されている任意の選局要求を当該新たな選局要求に更新する、請求項１に記載の放送受信装置。
【請求項４】  前記選局処理部は、選局処理が失敗した場合、前回の選局処理中に前記選局要求格納部に格納された選局要求の内、１つの選局要求に応じて選局処理を再度行い、
前記選局要求消去部は、前回の選局処理中に前記選局要求格納部に格納された選局要求を、当該前回の選局処理の次に行われる選局処理が完了した後に消去する、請求項１に記載の放送受信装置。
【請求項５】  前記選局要求格納部は、所定数の選局要求を格納し、選局処理中に新たな選局要求が発行された結果、格納されるべき選局要求が選局処理中に当該所定数を越える場合、すでに格納されている任意の選局要求を当該新たな選局要求に更新する、請求項４に記載の放送受信装置。
【請求項６】  前記選局処理部は、選局処理中に選局要求が発行された場合、前記選局要求格納部に格納されている選局要求の内、最新の選局要求に応じて次の選局処理を行う、請求項１に記載の放送受信装置。
【請求項７】  前記選局要求格納部は、１つの選局要求のみを格納し、前記選局要求受付部によって新たな選局要求が受け付けられた場合、すでに格納されている選局要求を当該新たな選局要求に更新する、請求項６に記載の放送受信装置。
【請求項８】  前記選局要求は、アプリケーションによって発行されることを特徴とする、請求項１に記載の放送受信装置。
【請求項９】  放送信号を受信する放送受信装置において用いられる方法であって、
発行された選局要求を受け付ける選局要求受付ステップと、
前記選局要求受付ステップにおいて受け付けた選局要求を格納しておく選局要求格納ステップと、
選局要求に応じて前記放送信号の選局処理を行い、選局処理中に選局要求が発行された場合、前記選局要求格納ステップにおいて格納された選局要求の内１つの選局要求に応じて次の選局処理を行う選局処理ステップと、
選局処理中に格納された選局要求を所定のタイミングで消去する選局要求消去ステップとを備える、選局要求管理方法。
【請求項１０】  前記選局要求消去ステップは、選局処理の開始時に、前回の選局処理中に格納された選局要求を消去する、請求項９に記載の選局要求管理方法。
【請求項１１】  前記選局要求格納ステップは、選局処理中に新たな選局要求が発行された結果、格納されるべき選局要求が選局処理中に所定数を越える場合、すでに格納されている任意の選局要求を当該新たな選局要求に更新する、請求項９に記載の選局要求管理方法。
【請求項１２】  前記選局処理ステップは、選局処理が失敗した場合、前回の選局処理中に格納された選局要求の内、１つの選局要求に応じて選局処理を再度行い、
前記選局要求消去ステップは、前回の選局処理中に格納された選局要求を、当該前回の選局処理の次に行われる選局処理が完了した後に消去する、請求項９に記載の選局要求管理方法。
【請求項１３】  前記選局要求格納ステップは、選局処理中に新たな選局要求が発行された結果、格納されるべき選局要求が選局処理中に所定数を越える場合、すでに格納されている任意の選局要求を当該新たな選局要求に更新する、請求項１２に記載の選局要求管理方法。
【請求項１４】  前記選局処理ステップは、選局処理中に選局要求が発行された場合、前記選局要求格納ステップにおいて格納された選局要求の内、最新の選局要求に応じて次の選局処理を行う、請求項９に記載の選局要求管理方法。
【請求項１５】  前記選局要求格納ステップは、１つの選局要求のみを格納し、前記選局要求受付ステップにおいて新たな選局要求が受け付けられた場合、すでに格納されている選局要求を当該新たな選局要求に更新する、請求項１４に記載の選局要求管理方法。
【請求項１６】  前記選局要求は、アプリケーションによって発行されることを特徴とする、請求項９に記載の選局要求管理方法。
【請求項１７】  放送信号を受信する放送受信装置に含まれるコンピュータに、
発行された選局要求を受け付ける選局要求受付ステップと、
前記選局要求受付ステップにおいて受け付けた選局要求を格納しておく選局要求格納ステップと、
選局要求に応じて前記放送信号の選局処理を行い、選局処理中に選局要求が発行された場合、前記選局要求格納ステップにおいて格納された選局要求の内１つの選局要求に応じて次の選局処理を行う選局処理ステップと、
選局処理中に格納された選局要求を所定のタイミングで消去する選局要求消去ステップとを実行させるためのプログラム。
【請求項１８】  放送信号を受信する放送受信装置に用いる信号処理回路であって、
前記放送受信装置が備える選局要求格納部には、発行された選局要求が受け付けられた場合に当該選局要求が格納され、
前記信号処理回路は、
発行された選局要求に応じて前記放送信号の選局処理を行い、選局処理中に選局要求が発行された場合、前記選局要求格納部に格納されている選局要求の内１つの選局要求に応じて次の選局処理を行う選局処理部と、
前記選局要求格納部において選局処理中に格納された選局要求を所定のタイミングで消去する選局要求消去部とを備える、信号処理回路。
【請求項１９】  発行された選局要求を受け付ける選局要求受付部を備え、
前記選曲要求受付部により受け付けた選局要求を前記選局要求格納部へ格納するようにした請求項１８記載の信号処理回路。
【請求項２０】  前記選局要求消去部は、選局処理の開始時に、前記選局要求格納部に格納されている選局要求を消去する、請求項１８に記載の信号処理回路。
【請求項２１】  前記選局処理部は、選局処理が失敗した場合、前回の選局処理中に前記選局要求格納部に格納された選局要求の内、１つの選局要求に応じて選局処理を再度行い、
前記選局要求消去部は、前回の選局処理中に前記選局要求格納部に格納された選局要求を、当該前回の選局処理の次に行われる選局処理が完了した後に消去する、請求項１８に記載の信号処理回路。
【請求項２２】  前記選局処理部は、選局処理中に選局要求が発行された場合、前記選局要求格納部に格納されている選局要求の内、最新の選局要求に応じて次の選局処理を行う、請求項１８に記載の信号処理回路。
【請求項２３】  前記選局要求は、アプリケーションによって発行されることを特徴とする、請求項１８に記載の信号処理回路。
【手続補正２】
【補正対象書類名】明細書
【補正対象項目名】００３５
【補正方法】変更
【補正の内容】
【００３５】
第１７の発明は、放送信号を受信する放送受信装置に含まれるコンピュータに、
発行された選局要求を受け付ける選局要求受付ステップと、
選局要求受付ステップにおいて受け付けた選局要求を格納しておく選局要求格納ステップと、
選局要求に応じて放送信号の選局処理を行い、選局処理中に選局要求が発行された場合、選局要求格納ステップにおいて格納された選局要求の内１つの選局要求に応じて次の選局処理を行う選局処理ステップと、
選局処理中に格納された選局要求を所定のタイミングで消去する選局要求消去ステップとを実行させるためのプログラムである。
第１８の発明は、放送信号を受信する放送受信装置に用いる信号処理回路であって、
前記放送受信装置が備える選局要求格納部には、発行された選局要求が受け付けられた場合に当該選局要求が格納され、
前記信号処理回路は、
発行された選局要求に応じて前記放送信号の選局処理を行い、選局処理中に選局要求が発行された場合、前記選局要求格納部に格納されている選局要求の内１つの選局要求に応じて次の選局処理を行う選局処理部と、
前記選局要求格納部において選局処理中に格納された選局要求を所定のタイミングで消去する選局要求消去部とを備える、信号処理回路である。
第１９の発明は、第１８の発明に従属する発明であって、
発行された選局要求を受け付ける選局要求受付部を備え、前記選曲要求受付部により受け付けた選局要求を前記選局要求格納部へ格納するようにした信号処理回路である。
第２０の発明は、第１８の発明に従属する発明であって、
前記選局要求消去部は、選局処理の開始時に、前記選局要求格納部に格納されている選局要求を消去する信号処理回路である。
第２１の発明は、第１８の発明に従属する発明であって、
前記選局処理部は、選局処理が失敗した場合、前回の選局処理中に前記選局要求格納部に格納された選局要求の内、１つの選局要求に応じて選局処理を再度行い、
前記選局要求消去部は、前回の選局処理中に前記選局要求格納部に格納された選局要求を、当該前回の選局処理の次に行われる選局処理が完了した後に消去する信号処理回路である。
第２２の発明は、第１８の発明に従属する発明であって、
前記選局処理部は、選局処理中に選局要求が発行された場合、前記選局要求格納部に格納されている選局要求の内、最新の選局要求に応じて次の選局処理を行う信号処理回路である。
第２３の発明は、第１８の発明に従属する発明であって、
前記選局要求は、アプリケーションによって発行されることを特徴とする信号処理回路である。
【手続補正３】
【補正対象書類名】明細書
【補正対象項目名】００３７
【補正方法】変更
【補正の内容】
【００３７】
フロントエンド１０１は、アンテナ１２にて受信された放送信号を選局・復調し、ＭＰＥＧ２トランスポートストリーム（図１に示す“ＴＳ”）を出力する。なお、フロントエンド１０１内には選局を行うチューナー１０６が含まれている。ＴＳデコーダ１０２は、フロントエンド１０１から出力されたＭＰＥＧ２トランスポートストリームを多重分離し、映像、音声、およびその他の情報（映像および音声以外の情報）を出力する。これらの情報は、ＰＥＳ（Ｐａｃｋｅｔｉｚｅｄ  Ｅｌｅｍｅｎｔａｒｙ  Ｓｔｒｅａｍ）パケットやセクションを単位として出力される。一般的には、映像や音声等の情報は、ＰＥＳパケットに含まれている。また、放送受信装置上で動作するアプリケーションはセクションに含まれている。ＡＶデコーダ１０３は、映像および音声情報（図１に示す“ＶＩＤＥＯ”および“ＡＵＤＩＯ”）を復号し、ＡＶデータを出力する。画像出力用信号エンコーダ１０５は、ＡＶデコーダ１０３から出力されたＡＶデータを、画像出力用の信号に変換するものである。つまり、画像出力用信号エンコーダ１０５は、ＡＶデコーダ１０３から出力されたＡＶデータをＤ／Ａ変換し、ディスプレイ１３に出力できる映像音声信号として出力する。ＴＳデコーダ１０２にて出力された映像および音声以外の情報（図１に示す“ＯＴＨＥＲ”）は、メモリ１０４に保持され、様々な処理に利用される。例えば、ＤＶＢ−ＭＨＰに準拠した放送受信装置のように、放送受信装置上で動作するアプリケーションを放送信号によってダウンロードすることが可能なシステムの場合、アプリケーションは、メモリ１０４上に展開されてＣＰＵ１０７によって実行される。ＣＰＵ１０７は、演算を司るモジュールであり、メモリ１０４およびチューナー１０６と接続されている。ＣＰＵ１０７は、後述する選局管理処理プログラムを実行することによって選局管理処理を行う。なお、選局管理処理の詳細については後述する。また、ＣＰＵ１０７は、上記アプリケーションの実行等を行う。
【手続補正４】
【補正対象書類名】明細書
【補正対象項目名】００４４
【補正方法】変更
【補正の内容】
【００４４】
選局要求格納部２０５は、選局要求受付部２０４が受け付けた選局要求を格納する。選局要求格納部２０５は、メモリ１０４によって実現される。また、選局要求格納部２０５は、ＣＰＵ１０７内の専用のレジスタによって実現されてもよい。ここで、選局要求格納部２０５は、所定数の選局要求を格納することが可能である。また、選局要求格納部２０５は、選局要求を時系列に基づいた順序情報と共に格納する。以下、選局要求格納部２０５の具体例を図３を用いて説明する。
【手続補正５】
【補正対象書類名】明細書
【補正対象項目名】００４５
【補正方法】変更
【補正の内容】
【００４５】
図３から図５は、図２に示す選局要求格納部２０５の具体例を模式的に示す図である。図３は、選局要求格納部２０５に選局要求が格納されていない場合を示す図である。図４は、選局要求格納部２０５に２つの選局要求（要求１および２）が格納されている場合を示す図である。図５は、選局要求格納部２０５に３つの選局要求（要求１〜３）が格納されている場合を示す図である。図３から図５において、選局要求格納部２０５を示す格子の左上の数字は、順序情報を示す。順序情報とは、選局要求格納部２０５に格納された順番を示すものである。例えば、図４において、順序情報が１である格子内の選局要求（要求２）は、選局要求格納部２０５に格納されている選局要求の中で最も後に格納された選局要求である。
【手続補正６】
【補正対象書類名】明細書
【補正対象項目名】００６０
【補正方法】変更
【補正の内容】
【００６０】
選局処理１が終了すると、ＣＰＵ１０７は、メモリ１０４を監視し（ステップＳ７０１）、選局要求が格納されているか否かを判定する（ステップＳ７０２）。さらに、順序情報が１である選局要求（選局要求３）を取得し（ステップＳ７０３）、選局を実行する（ステップＳ７０４）。以上により、選局処理１の次に行われる選局処理は、選局処理３（選局要求３に対応）となる。さらに、選局処理３が開始されると、ＣＰＵ１０７は、メモリ１０４に格納されている選局要求（選局要求２および３）を消去する。